(57)【要約】  引き出し（１４）は、２つの横フレーム（１１）と、横フレームに固定されるフロントパネル（１０）と、後壁（１５）と、引き出し床面（１８）と、横フレーム（１１）上および前記後壁（１５）上に配置されるアタッチメント（１６、１９）とを有し、アタッチメントは、フロントパネル（１０）および後壁（１５）の互いに対向する側に対してポケット形状マウント（１２、１７）を使用して固定される。ポケット形状マウント（１２、１７）は、引き出し床面（１８）から離れた方を向く上端側で開口する。アタッチメント（１６、１９）の上面はポケット形状マウント（１２、１７）の上面と一直線を成す。ポケット形状マウント（１２、１７）は、引き出し床面（１８）の方に面する下側が、ポケット形状マウントを移動および／またはロック可能に輪郭付けて形成される。よって、引き出しを容易に組み立てることができる。【選択図】  図３
2011516225.tif 000002
【特許請求の範囲】
【請求項１】
２つの横フレーム（１１）と、前記横フレームに固定されるフロントパネル（１０）と、後壁（１５）と、引き出し床面（１８）と、前記横フレーム（１１）上および前記後壁（１５）上に配置され且つ前記フロントパネル（１０）および前記後壁（１５）の互いに対向する側に対してポケット形状マウント（１２、１７）によって固定されるアタッチメント（１６、１９）とを備える引き出し（１４）において、
前記ポケット形状マウント（１２、１７）が前記引き出し床面（１８）から離れた方を向く上端側で開口し、前記アタッチメント（１６、１９）の上面が前記ポケット形状マウント（１２、１７）の上面と一直線を成し、前記ポケット形状マウント（１２、１７）が、前記引き出し床面（１８）の方に面する下側にて、前記ポケット形状マウントを移動させおよび／またはロックさせることができるように輪郭付けて形成されていることを特徴とする、引き出し（１４）。
【請求項２】
前記ポケット形状マウント（１２、１７）が、前記フロントパネル（１０）と前記後壁に対応するアタッチメント（１６）とに対して少なくとも１つの締結要素（１３）により固定されることを特徴とする、請求項１に記載の引き出し。
【請求項３】
少なくとも１つの係止突起（２１）が前記ポケット形状マウント（１２、１７）の少なくとも１つの壁に設けられ、前記係止突起が前記アタッチメント（１９）の孔（２０）内に係合することを特徴とする、請求項１または請求項２に記載の引き出し。
【請求項４】
少なくとも１つの係止突起（２１）が前記ポケット形状マウント（１２、１７）の少なくとも１つの壁に設けられ、前記係止突起が、前記アタッチメント（１９）の孔（２０）に係合する円筒状の固定要素内に導入されることを特徴とする、請求項１または請求項２に記載の引き出し。
【請求項５】
前記アタッチメント（１６、１９）の上面が、前記引き出し床面（１８）から離れた方を向く前記フロントパネル（１０）の上面に対して前記引き出し床面（１８）の方向にオフセットされることを特徴とする、請求項１〜請求項４のいずれか一項に記載の引き出し。
【請求項６】
前記後壁（１５）に対応する前記アタッチメント（１６）が、前記引き出し床面（１８）から、前記横フレーム（１１）上に配置されるアタッチメント（１９）の上面に至るまで延在することを特徴とする、請求項１〜請求項５のいずれか一項に記載の引き出し。
【請求項７】
前記フロントパネル（１０）と対向する少なくとも前記保持要素（１２）の少なくとも外壁にアクセス用の開口（２９）が設けられることを特徴とする、請求項１に記載の引き出し。
【請求項８】
前記引き出し（１４）の前記後壁（１６）に対応する少なくとも前記各保持要素（１７）が、対応するアタッチメント（１６）と接続するための１または複数の係止要素（３０、３１、３２）を備えることを特徴とする、請求項１〜請求項７のいずれか一項に記載の引き出し。
【請求項９】
前記係止要素が、好ましくは、互いに離間される２つの吊下げフック（３０、３１）と、２つの吊下げフック（３０、３１）間に配置される係止フック（３２）とによって形成されることを特徴とする、請求項８に記載の引き出し。
【請求項１０】
前記後壁（１５）に対応する前記アタッチメント（１６）には、前記吊下げフック（３０、３１）と前記係止フック（３２）とに対して正確に位置決めされる係止開口（３３、３４）が設けられることを特徴とする、請求項１〜請求項９のいずれか一項に記載の引き出し。
【請求項１１】
前記フロントパネル（１０）に対応する前記保持要素（１２）には、前記フロントパネル（１０）に面する側に、前記フロントパネル（１０）と接続するための係止形状（２８）が設けられることを特徴とする、請求項１〜請求項１０のいずれか一項に記載の引き出し。
【請求項１２】
前記引き出し（１４）の前記横フレーム（１１）が係止要素によって前記フロントパネル（１０）と接続され、係止状態を回転ラッチ（３５）によってロックさせることができおよびロック解除することができることを特徴とする、請求項１〜請求項１１のいずれか一項に記載の引き出し。
【請求項１３】
前記フロントパネル（１０）には、前記引き出し（１４）の前記横フレーム（１１）よりも上側の内面に、係止ピン（３７、３８）が取り付けられ、前記係止ピンを隣接する前記保持要素（１２）の係止要素と係止させることができることを特徴とする、請求項１〜請求項１２のいずれか一項に記載の引き出し。
【請求項１４】
前記係止ピン（３７、３８）および前記係止要素を、回転ラッチ（３６）によってロックさせることができおよびロック解除することができることを特徴とする、請求項１３に記載の引き出し。
【請求項１５】
前記各回転ラッチ（３５、３６）が係止ピンと平面ハンドルとから成ることを特徴とする、請求項１〜請求項１４のいずれか一項に記載の引き出し。
【請求項１６】
ノイズ抑制のための要素が前記アタッチメント（１６）と前記後壁（１５）の内面との間に挿入されることを特徴とする、請求項１〜請求項１５のいずれか一項に記載の引き出し。
【請求項１７】
前記アタッチメント（１６）が前記後壁（１５）の内面と接着により接続されることを特徴とする、請求項１〜請求項１６のいずれか一項に記載の引き出し。
【請求項１８】
前記保持要素（１２）には、前記アタッチメント（１９）の斜面（２４）と係合する係止輪郭（２２）が内側に設けられることを特徴とする、請求項１〜請求項１７のいずれか一項に記載の引き出し。
【請求項１９】
前記後壁（１６）に対応する前記保持要素（１７）には、前記アタッチメント（１６）の端面に当接するウェブ（２３）が設けられることを特徴とする、請求項１〜請求項１８のいずれか一項に記載の引き出し。
【請求項２０】
前記保持要素（１７）の一方の脚部（２５）が、弾性を有するとともに、内側に面する係止輪郭を上縁に備え、前記係止輪郭が、前記アタッチメント（１９）の対応する斜面（２４）を覆って係合することを特徴とする、請求項１〜請求項１９のいずれか一項に記載の引き出し。
【請求項２１】
前記横フレーム（１１）が、前記保持要素（１７）の後退部（２７）が係合するアンダーカット（２６）を備えることを特徴とする、請求項１〜請求項２０のいずれか一項に記載の引き出し。
【請求項２２】
機能的な形状ストリップが前記横フレーム（１１）に配置され、前記アンダーカット（２６）が前記機能的な形状ストリップに形成されることを特徴とする、請求項１〜請求項２１のいずれか一項に記載の引き出し。
【請求項２３】
前記アタッチメント（１６、１９）により形成されるアタッチメント間に更なるアタッチメントを配置することができ、前記更なるアタッチメントが好ましくは不透明材料、例えばスチールプレートから成ることを特徴とする、請求項１〜請求項２２のいずれか一項に記載の引き出し。
【発明の詳細な説明】
【技術分野】
【０００１】
本発明は、２つの横フレームと、横フレームに固定されるフロントパネルと、後壁と、引き出し床面と、横フレーム上および後壁上に配置され且つフロントパネルおよび後壁の互いに対向する側に対してポケット形状マウントによって固定されるアタッチメントとを備える引き出しに関する。
【背景技術】
【０００２】
関連する引き出しが多くの構成で知られている。これらの引き出しは、引き出しスライダによって、一点の家具のそれぞれの区画内に挿入され或いは引き出される。通常の構成の場合、横フレームおよび後壁の高さは、フロントパネルの高さよりもかなり低い。したがって、横フレーム、後壁、および、フロントパネルによって取り囲まれる容積は小さい。特に台所用家具の場合には、取り囲まれる容積を増大することが望ましい。したがって、横フレーム上および後壁上に配置されるアタッチメントが知られている。これは、取り囲まれる容積がユーザによって増大される可能性を与える。
【０００３】
アタッチメントを固定するため、ポケット形状マウントがネジによってフロントパネルおよび後壁に締結される。これらのネジは、フロントパネルおよび後壁に固定される脚部を貫通する。
【０００４】
既知の構成において、ポケット形状マウントは、上側および下側、すなわち、引き出し床面に対向する側または引き出し床面から離れた方を向く側が閉じられている。結果として、フロントパネルに固定されるマウントまたは後壁に固定されるマウントのいずれかのみしか最初に取り付けることができない。その後、他のマウントが最初に横フレームの端部領域に配置された後、固定が終端位置への移動後に行なわれる。通常、フロントパネル上のマウントが最初に固定される。横フレームをマウントに挿入するために傾いた位置へと至らせる必要があるため、ポケット形状マウントの高さは、横フレーム上に配置されるアタッチメントの高さよりも高い。横フレームの端部領域を遊びが無い態様でポケット内に配置できるようにするためにスプリング要素がポケット内に設けられ、スプリング要素は、該スプリングの配置に応じてアタッチメントを上方または下方へと押圧する。
【０００５】
前述した引き出し構成は、構造的観点から複雑なだけでなく、引き出し床面から離れたマウントの上側領域がアタッチメントの上側領域に対して突出することも不都合である。
【発明の概要】
【発明が解決しようとする課題】
【０００６】
本発明は、特にアタッチメントの取り付けがかなり簡略化され且つ厄介な縁部が形成されないように先に詳しく説明した類の引き出しを提供するという目的に基づいている。
【課題を解決するための手段】
【０００７】
この目的は、ポケット形状マウントが引き出し床面から離れた方を向く上端側で開口し、アタッチメント（取付け部品）の上面がポケット形状マウントの上面と一直線を成し、ポケット形状マウントの引き出し床面の方に面する下側が、ポケット形状マウントを移動させおよび／またはロックさせることができるように輪郭付けて形成されるという点において達成される。
【０００８】
このような本発明に係るポケット形状マウントの配置により、最初に、ポケット形状マウントを横フレームのアンダーカット内に移動可能な態様で係止させることにより配置することができ、また、次のステップでは、ポケット形状マウントがフロントパネルと後壁を立ち上げるアタッチメントとに対して固定される。その後、アタッチメントが横フレーム上に上側から配置される。ポケット形状マウントおよびアタッチメントの少なくとも端部領域のそれぞれの形態については、これらが遊びの無い態様でポケット内に係合し、それにより、引き出しが押し込まれ或いは引き出されるときに厄介なノイズが引き起こされない。また、嵩上げアタッチメントは後壁に対して接着により固定される。ポケット形状マウントは、下面側が、好ましくは横フレームの対向面にしたがって配置され、あるいは、機能的な形状ストリップによって配置される。
【０００９】
ポケット形状マウントをフロントパネルに対して或いは後壁に対応するアタッチメントに対して固定するため、この固定が、少なくとも１つの固定要素、例えば隣接するウェブを貫通するネジによって行なわれるようにする。
【００１０】
各アタッチメントが更に固定されるようにするため、少なくとも１つの係止孔がポケット形状マウントの少なくとも１つの壁に設けられ、アタッチメントの孔に係合する円筒状の固定要素を係止孔内に導入できるようにする。
【００１１】
他の実施形態では、少なくとも１つの係止突起が各ポケット形状マウントの少なくとも１つの壁に設けられ、係止突起が、各アタッチメントの終端位置にある係止孔に係合するようにする。この係止突起は、ドーム状断面または球状断面の態様を成して構成させることができる。
【００１２】
更なる進展では、引き出し床面から離れた方を向くアタッチメントの上面が、フロントパネルの上面に対して引き出し床面へ向かう方向に突出するようにする。
【００１３】
更なる進展では、フロントパネルと対向する少なくとも保持要素の少なくとも外壁にアクセス開口が設けられるようにする。前記アクセス開口は、係止接続のロック解除を工具によって行なうことができるような態様で構成させることができる。また、以下で更に詳しく説明するように、特別に設けられた工具がこのアクセス開口に挿通された後に保持要素にとどまるようにすることも想定し得る。
【００１４】
また、この実施形態では、引き出しの後壁に対応する少なくとも保持要素のそれぞれが、関連するアタッチメントと接続するための１または複数の係止要素を備えるようにする。係止要素は、幾つかの吊下げフック、好ましくは互いに離間される２つの吊下げフックと、２つの吊下げフック間に配置される係止フックとから成ることが有益である。これにより、後壁を立ち上げるアタッチメントのフッキングが容易になる。
【００１５】
また、吊下げフックと係止フックとに対して正確に位置する係止開口がアタッチメントに設けられ、係止開口内に少なくとも吊下げフックを引っ掛けることができれば特に有益である。
【００１６】
また、フロントパネルに対応する保持要素には、フロントパネルに面する側に、フロントパネルと接続するための係止形状が設けられると更に有益である。
【００１７】
また、引き出しの横フレームが係止要素によってフロントパネルと接続され、係止状態を回転ラッチによってロックさせることができおよびロック解除することができれば更に有益である。また、フロントパネルには、引き出しの横フレームよりも上側の内面に、係止ピンが配置され、前記係止ピンを隣接する保持要素の係止要素と係止させることができれば更に有益である。
【００１８】
各回転ラッチが係止ピンとハンドルとから成ると、特に有利である。保持要素とフロントパネルおよび後部アタッチメントとの前述した係止は、アタッチメントにより形成される引き出しの嵩上げを予め取り付けることができ、その後にこのユニットを横フレームおよびフロントパネルの縁部と係止させることができるようになっていることが有益である。
【００１９】
容積を更に増大させるために、本発明に係るアタッチメントと引き出しとの間に更なるアタッチメントを配置することができる。更なるアタッチメントを例えばスチールプレートなどの不透明な材料から形成できることが好ましい。
【００２０】
また、引き出しの移動中の音を抑制するため、音を抑制するための要素がアタッチメントと後壁の内面との間に挿入されるようにする。
【００２１】
特に引き出しが家具本体から引き出されるときに引き出しの中に格納される物体が後壁に対して押し付けられる可能性があるため、後壁に対応するアタッチメントが、横フレーム上に配置されるアタッチメントの上面に至るまで引き出し床面から延びるようにする。
【００２２】
各アタッチメントが終端位置で固定されるようにするため、各保持要素の少なくとも一方の脚部が、弾性を有するとともに、内側に面する係止輪郭を上縁に備え、アタッチメントが、１または複数の係止輪郭によって覆われて係合されるそれぞれの斜面を備えるようにする。
【００２３】
また、マウントが移動できるように各横フレームにセットバックが設けられ、また、横フレームが、マウントのセットバックが係合するアンダーカットを備えるようにする。横フレームが随意的な機能的形状を備える場合、これらの機能的形状は、アタッチメントを移動可能な態様でクリップ留めできるアンダーカットを備える。
【００２４】
添付図面を参照して、本発明を更に詳しく説明する。
【図面の簡単な説明】
【００２５】
【図１】図１は、フロントパネルと横フレームとによって形成される角部の斜視図を示している。
【図２】図２は、保持要素がフレーム上に配置される図１に係る図を示している。
【図３】図３は、後壁にアタッチメントが設けられて保持要素がフロントパネルに取り付けられた引き出しの斜視図を示している。
【図４】図４は、アタッチメントおよび保持要素が後壁に取り付けられていない状態で設けられる引き出しを示している。
【図５】図５は、図４に係る図であるが、保持要素が後壁上に配置された状態の図を示している。
【図６】図６は、アタッチメントが横フレーム上に未だ配置されていない状態の図４および図５に係る引き出しを示している。
【図７】図７は、アタッチメントが最終状態で設けられる引き出しの斜視図を示している。
【図８】図８は、後壁に取り付けられるポケット形状の保持要素の個々の段階を示している。
【図９】図９は、後壁に取り付けられるポケット形状の保持要素の個々の段階を示している。
【図１０】図１０は、後壁に取り付けられるポケット形状の保持要素の個々の段階を示している。
【図１１】図１１は、図８に係る実施形態に代わる別の解決策を示している。
【図１２】図１２は、図９に係る実施形態に代わる別の解決策を示している。
【図１３】図１３は、図１０に係る実施形態に代わる別の解決策を示している。
【図１４】図１４は、アタッチメントロックの詳細図を示している。
【図１５】図１５は、アタッチメントの細部を分解図で示している。
【図１５ａ】図１５ａは、後壁に対応する領域から見た後側保持要素を斜視図で示している。
【図１６】図１６は、引き出し側面のアタッチメントを組み立て状態で示している。
【図１７】図１７は、図１６に係る図を示しているが、他方の引き出し側面のアタッチメントを示している。
【図１８】図１８は、図１６に係る図であるが、後壁に対応する保持要素の側部へ向けて見た図を示している。
【図１９】図１９は、一方側のアタッチメントを係合可能な後壁と共に示している。
【図２０】図２０は、２つの横アタッチメントおよび後壁を示している。
【図２１】図２１は、引き出し上に配置できる状態にある図２０に係るアタッチメントを示している。
【図２２】図２２は、引き出し上に係止されるアタッチメントの斜視図を示している。
【図２３】図２３は、係止を固定するために必要な回転ラッチを伴う図２２に係るアタッチメントを備える引き出しを示している。
【図２４】図２４は、保持要素内への挿入後の回転ラッチによるアタッチメントの係止を示している。
【図２５】図２５は、係止接続を固定するために必要な終端位置にある回転係止の最終的な位置を示している。
【図２６】図２６は、引き出し上に配置できる状態にある組み立てられたアタッチメントをフロントパネルの内面側とともに見た斜視図を示している。
【図２７】図２７は、回転ラッチを伴わない最終状態の図２６に係る引き出しを示している。
【図２８】図２８は、回転ラッチを伴う図２７に係る引き出しを示している。
【図２９】図２９は、前側保持要素内に挿入された回転ラッチを示している。
【図３０】図３０は、終端位置にある２つの前側回転ラッチを示している。
【図３１】図３１は、本発明に係るアタッチメントと中間に配置される更なる容積増大アタッチメントとを伴う引き出しの側面図を示している。
【図３２】図３２は、本発明に係るアタッチメントを伴う引き出しの側面図を示している。
【発明を実施するための形態】
【００２６】
図１は、概略的に横フレーム１１がフロントパネル１０に固定されることを示している。図面は、ポケット形状の保持要素１２をフロントパネル１０に固定できることを示している。また、図１および図２は、フロントパネル１０に当接する領域に孔が設けられており、この孔を通じてネジ１１を案内して保持要素１２を固定できることも示している。
【００２７】
図３は、引き出し１４が２つの横フレーム１１と後壁１５とを備えることを示している。この例示によれば、後壁１５を高くするために２つのポケット形状の保持要素１７がアタッチメント（取付け部品）１６に固定される。アタッチメント１６は、引き出し床面１８に至るまで延びるとともに、横フレーム１１の上側領域を超えて突出する。図３によれば、前記アタッチメント１６は、依然として後壁１５から距離を隔てて配置されており、横フレーム１１に固定する前に後壁１５と接触するまで移動される。
【００２８】
図４および図５は２つの中間位置を示している。図４は、ポケット形状の保持要素１７が最初は個別の部品であることを示しており、図５によれば、これらの部品が１または２つのネジによってアタッチメント１６に固定される。その後、取り付けられたユニットが、図６のように一致するように引き出し１４に配置される。また、図６は、横フレーム１１上にアタッチメント（取付け部品）１９も配置されることを示している。後壁１５を高くするためのアタッチメント１６の導入後、アタッチメント１９がポケット形状の保持要素１２、１７内に挿入される。したがって、引き出し１４が３つの側で高くされる。
【００２９】
図６は、保持要素１２、１７に係止孔２１ａが設けられることも示し、これらの係止孔内に円筒状の固定要素を導入することができ、それにより、固定要素がアタッチメント１９に導入される係止孔２０に係合する。
【００３０】
図８および図９は、保持要素１２、１７が係止突起２１を備えることも示しており、係止突起２１は、アタッチメント１９に導入された係止孔２０と係合する。
【００３１】
図８〜図１０は、それぞれの横フレーム１１上に対するアタッチメント１９の配置を拡大図で示している。これらの図は、引き出し床面１８から離れた方を向く横フレーム１１の上縁に機能的な形状ストリップを設けることができることも示している。また、図は、保持要素１２、１７の接触面がフレームの上側輪郭の外面に対応することも示している。したがって、それに応じて案内が成され、それにより、各横フレーム１１の上面で保持要素１２、１７を移動させることができる。保持要素１２、１７には、横フレーム１１のアンダーカット２６に係合するセットバック（後退部）２７が設けられる。横フレームに機能的な形状ストリップが設けられる場合には、これらのストリップにアンダーカットが形成される。
【００３２】
図１１〜図１３は、図８〜図１０に係る実施形態の変形を示している。この実施形態において、ポケット形状の保持要素１７にはそれぞれ、外側脚部に係止輪郭２２が更に設けられる。図示の実施形態では、外側脚部２５が弾性的に構成されており、それにより、係止輪郭２２がアタッチメント１９の挿入後にロックされる。この目的のため、各アタッチメントには少なくとも一方側に斜面（面取り部）２４が設けられる。
【００３３】
ポケット形状の保持要素１２、１７の基本断面がＵ形状であり、アタッチメント１６、１９の上側領域がポケット形状マウント１２、１７の上側領域と一直線になることを更に言及する必要がある。
【００３４】
図８から図１３は、後壁に対応するポケット形状の保持要素１７が、アタッチメント１６のフェース面と接触するウェブ２３を備えることも示している。
【００３５】
図１４は、保持要素１７と挿入されたアタッチメント１９とを伴う横フレームを垂直断面図で示している。図示の実施形態では、各保持要素１７の外側脚部２５が弾性的に変形できる。外側脚部には、傾斜ウェブの形態を成す係止輪郭２２が上縁に設けられる。アタッチメント１９には、係止輪郭２２によって包囲される少なくとも１つの斜面２４が上側に設けられる。したがって、アタッチメント１９が固定される。図示の実施形態において、横フレーム１１には、少なくとも移動領域にわたって延びるアンダーカット２６が上側領域に設けられ、アンダーカットには保持要素１２、１７のセットバック２７が係合する。したがって、保持要素１２、１７は横フレーム１１上で移動可能に案内される。
【００３６】
図示の実施形態とは異なり、アンダーカット２６を機能的な形状ストリップ（図示せず）の実施形態で設けることもできる。
【００３７】
図１〜図１４に係る実施形態において、アタッチメント１６、１９から形成されるＵ形状フレームは、アタッチメントを横フレーム１１上に連続的に配置することによって形成される。図１５〜図３０に示される実施形態は、アタッチメント１９、１６を引き出し１４上に配置する前に係止させることによって行なわれる。この場合、接続は専ら係止によって行なわれる。図１５は、フロントパネル１０に対応する各保持要素１２がフロントパネル１０に面する側に係止形状２８を備えることを示している。また、保持要素１２は上側領域の内側でアーチ形状の態様を成して配置される。
【００３８】
図１５ａは、後壁１５に対応する保持要素１７がアタッチメント１９に面する側に係止突起２１を備えることを示している。
【００３９】
図１６は、図１５、１５ａに係る実施形態を組み立て状態で示している。図は、フロントパネル１０に対応する保持要素１２が、外側脚部に配置されるアクセス開口２９を備えることを示している。このアクセス開口は楕円穴の態様で配置される。図１７は、フロントパネル１０および後壁１５に対して右側にあるアタッチメント要素１９を保持要素１２、１７と共に示している。この図では、アクセス開口２９も明確に見ることができる。
【００４０】
図１８は、後壁に対応する各保持要素１７が、後壁１５と接続する側に２つの互いに離間する吊下げフック３０、３１を備え、係止フック３２が２つの吊下げフック３０、３１間に配置されることを示している。吊下げフック３０、３１および係止フック３２は後壁１５と係止するために使用される。
【００４１】
図１９は、吊下げフック３０、３１および係止フック３２に対して正しい位置に配置される係止開口３３、３４が後壁１５に設けられることを示している。図２０は、組み立て状態のアタッチメントを斜視図で示しており、このアタッチメントは、アタッチメント１９と保持要素１２、１７と後壁１６とによって形成される。
【００４２】
図２１は、引き出し１４と係止できる状態にある図２０に係るこのアタッチメントを示している。
【００４３】
図２２は、引き出し１４を備えるアタッチメントを終端位置で示している。また、図は、回転ラッチ３５が図２３のように挿入されるアクセス開口を横フレーム１１が備えることも示しており、この場合、回転ラッチはピンとハンドルとしての平面部品とから成る。戻り止め内に回転ラッチ３５を挿入した後、図２３の例示にしたがって回転ラッチが９０°回転される。回転ラッチ２５は係止位置を維持する。図は、図２４のように保持要素１２のアクセス開口２９内に挿入される更なる回転ラッチ３６が設けられることを更に示している。図２４は今のところは非係止位置を示しており、一方、図２５は、２つの回転ラッチ３５、３６の係止位置を示している。更なる工具を何ら使用することなく回転ラッチ３５、３６を逆回転させることにより係止接続を解放できることが特に有益である。
【００４４】
図２６は、引き出し１４上に配置できる状態にある組み立てられたアタッチメントを示しており、フロントパネル１０の内面側を共に示している。この図では、フロントパネルの内側に係止ピン３７、３８をはっきりと見ることができ、これらのピンはアタッチメント１９と係止するために使用される。また、図は、引き出し１４の横フレーム１１に面するアタッチメント１９の下側領域を超えてアタッチメント１６が突出し、それにより、後壁が滑らかな表面を有することも示している。
【００４５】
図２７は、引き出し１４上に配置されるアタッチメントを示している。図は、アタッチメント１６の突出領域が後壁１５の内側にあることを示している。また、図は、保持要素１２がアクセス開口２９を備えること、および、横フレーム１１が２つの開口を前側の領域に備えることも示している。これらの開口には回転ラッチ３５が挿入され、図２８には回転ラッチがロック位置で示されている。図２９に示されるように、アクセス開口２９には更なる回転ラッチ２６が挿入される。この位置では、係止が未だロックされていない。この係止ロックは、上側回転ラッチ３６が図３０にしたがって９０°回されたときにだけ起こる。係止を解除するには、回転ラッチを反対方向に移動させる必要がある。
【００４６】
図３１は引き出し１４を側面図で示している。この場合、アタッチメントの側面４０が、アタッチメント１６、１９によって形成されるアタッチメントと横フレーム１１との間にある。このアタッチメントの側面４０は、容積を更に増大させるために使用され、スチールプレートなどの不透明材料から形成することができる。
【００４７】
図３２は、アタッチメント１９およびアタッチメント１６によって形成されるアタッチメントを有する本発明に係る引き出し１４を示している。
【００４８】
本発明は図示の実施形態に限定されない。関連する態様は、ポケット形状マウント１２、１７が引き出し床面１８から離れた方を向く上側で開口し、アタッチメント１６、１９の上面がポケット形状マウント１２、１７の上面と一直線になり、また、保持要素１２、１７の下面輪郭が横フレーム１１の上側輪郭に追従して、セットバック２７によりアンダーカット２６に移動可能なおよび／またはロック可能な態様で係合するということである。
【符号の説明】
【００４９】
１０  フロントパネル
１１  横フレーム
１２  保持要素
１３  ネジ／締結要素
１４  引き出し
１５  後壁
１６  アタッチメント（取付け部品）
１７  保持要素
１８  引き出し床面
１９  アタッチメント（取付け部品）
２０  係止孔
２１  係止突起
２２  係止輪郭
２３  ウェブ
２４  斜面（面取り部）
２５  弾性脚部
２６  アンダーカット
２７  セットバック（後退部）
２８  係止形状
２９  アクセス開口（アクセス用の開口）
３０、３１  吊下げフック
３２  係止フック
３３、３４  係止開口
３５、３６  回転ラッチ
３７、３８  係止ピン
４０  アタッチメントの側面
【図１】
2011516225.tif 000003
【図２】
2011516225.tif 000004
【図３】
2011516225.tif 000005
【図４】
2011516225.tif 000006
【図５】
2011516225.tif 000007
【図６】
2011516225.tif 000008
【図７】
2011516225.tif 000009
【図８】
2011516225.tif 000010
【図９】
2011516225.tif 000011
【図１０】
2011516225.tif 000012
【図１１】
2011516225.tif 000013
【図１２】
2011516225.tif 000014
【図１３】
2011516225.tif 000015
【図１４】
2011516225.tif 000016
【図１５】
2011516225.tif 000017
【図１５ａ】
2011516225.tif 000018
【図１６】
2011516225.tif 000019
【図１７】
2011516225.tif 000020
【図１８】
2011516225.tif 000021
【図１９】
2011516225.tif 000022
【図２０】
2011516225.tif 000023
【図２１】
2011516225.tif 000024
【図２２】
2011516225.tif 000025
【図２３】
2011516225.tif 000026
【図２４】
2011516225.tif 000027
【図２５】
2011516225.tif 000028
【図２６】
2011516225.tif 000029
【図２７】
2011516225.tif 000030
【図２８】
2011516225.tif 000031
【図２９】
2011516225.tif 000032
【図３０】
2011516225.tif 000033
【図３１】
2011516225.tif 000034
【図３２】
2011516225.tif 000035
【国際調査報告】
2011516225.tif 000036
2011516225.tif 000037
2011516225.tif 000038
2011516225.tif 000039